(57)【要約】【課題】天板の上下回動に施肥ノズルを追従させつつ、施肥ノズルがうねの上面を荒らすことを防止する。【解決手段】耕耘部３を備えた走行機体１に連結して使用され、うね立ておよび施肥を同時に行ううね立て施肥作業機９であって、耕耘部３の耕耘土をうね立て成形するうね立て成形部１０と、成形するうねの中に施肥ノズル１１を介してペースト肥料を吐出する施肥部１２とを備え、うね立て成形部１０は、うねの上面を成形する天板１８を備え、該天板１８を、その前端部を支点として上下回動自在に構成するとともに、この天板１８を任意の上下回動位置に固定した状態、または天板１８の上下回動を許容する状態でうねの上面を成形し、施肥ノズル１１は、天板１８の上面側に取り付けられ、天板上面側から天板前方を経由して天板下面側の施肥位置に至る。【選択図】図４
2013201973.tif 000002
【特許請求の範囲】
【請求項１】
耕耘部を備えた走行機体に連結して使用され、うね立ておよび施肥を同時に行ううね立て施肥作業機であって、
前記耕耘部の耕耘土をうね立て成形するうね立て成形部と、
成形するうねの中に施肥ノズルを介してペースト肥料を吐出する施肥部とを備え、
うね立て成形部は、うねの上面を成形する天板を備え、該天板を、その前端部を支点として上下回動自在に構成するとともに、この天板を任意の上下回動位置に固定した状態、または天板の上下回動を許容する状態でうねの上面を成形し、
施肥ノズルは、天板の上面側に取り付けられ、天板上面側から天板前方を経由して天板下面側の施肥位置に至ることを特徴とするうね立て施肥作業機。
【請求項２】
前記施肥ノズルは、天板に対する上下方向の位置調整および上下方向の角度調整が可能であることを特徴とする請求項１に記載のうね立て施肥作業機。
【発明の詳細な説明】
【技術分野】
【０００１】
本発明は、うね立てと施肥を同時に行ううね立て施肥作業機に関する。
【背景技術】
【０００２】
トラクタなどに連結して使用され、うね立てと施肥を同時に行ううね立て施肥作業機が知られている。例えば、特許文献１〜３に示されるうね立て施肥作業機は、耕耘土をうね立て成形するうね立て成形部と、成形するうねの中に施肥ノズルを介してペースト肥料を吐出する施肥部とを備えて構成されている。
【先行技術文献】
【特許文献】
【０００３】
【特許文献１】特開２００１−６９８３１号公報
【特許文献２】特開２０１１−１４２８１９号公報
【特許文献３】特開２０１１−１４２８２０号公報
【発明の概要】
【発明が解決しようとする課題】
【０００４】
しかしながら、特許文献１に示されるうね立て施肥作業機では、施肥深さの変動により、施肥精度が低下する惧れがあった。例えば、うね立て成形部の天板を上下回動自在に構成し、この天板を任意の上下回動位置に固定した状態や、天板の上下回動を許容する状態でうね立て施肥作業を行うものとした場合、天板の上下位置変動に応じて、うねの上面と施肥ノズルの位置関係が変化するので、施肥深さが変動し、施肥精度が低下する可能性がある。
【０００５】
一方、特許文献２、３に示されるうね立て施肥作業機では、天板の後端部に施肥ノズルを取り付けているので、うね立て成形部の天板を上下回動自在に構成し、この天板を任意の上下回動位置に固定した状態や、天板の上下回動を許容する状態でうね立て施肥作業を行うものであっても、天板の上下位置変動に施肥ノズルを追従させることができ、その結果、うねの上面と施肥ノズルの位置関係が変化することを抑制し、施肥深さの変動による施肥精度の低下を防止できる。
【０００６】
しかしながら、特許文献２、３に示されるうね立て施肥作業機では、天板の後端部に施肥ノズルを取り付け、該施肥ノズルを成形後のうねに挿入して施肥を行なうので、成形されたうねの上面が荒れるという問題があった。この問題を解決するために特許文献２、３のうね立て施肥作業機では、施肥ノズルの通過跡を消す均し板を設けているが、部品点数の増加や構造の複雑化を招来するという新たな問題が生じた。また、うね立て施肥作業機では、うね立てと同時にマルチを敷設するうね立て同時マルチ作業を行なうことがあるが、天板の後端部に施肥ノズルや均し板を設けると、これらがマルチと干渉するため、うね立て同時マルチ作業が困難になるという不都合もあった。
【課題を解決するための手段】
【０００７】
本発明は、上記の如き実情に鑑みこれらの課題を解決することを目的として創作されたものであって、耕耘部を備えた走行機体に連結して使用され、うね立ておよび施肥を同時に行ううね立て施肥作業機であって、前記耕耘部の耕耘土をうね立て成形するうね立て成形部と、成形するうねの中に施肥ノズルを介してペースト肥料を吐出する施肥部とを備え、うね立て成形部は、うねの上面を成形する天板を備え、該天板を、その前端部を支点として上下回動自在に構成するとともに、この天板を任意の上下回動位置に固定した状態、または天板の上下回動を許容する状態でうねの上面を成形し、施肥ノズルは、天板の上面側に取り付けられ、天板上面側から天板前方を経由して天板下面側の施肥位置に至ることを特徴とする。
また、前記施肥ノズルは、天板に対する上下方向の位置調整および上下方向の角度調整が可能であることを特徴とする。
【発明の効果】
【０００８】
請求項１の発明によれば、うねの上面を成形するうね立て成形部の天板に施肥ノズルを取り付けたので、うね立て成形部の天板を上下動自在に構成し、この天板を任意の上下位置に固定した状態や、上下動を許容する状態でうね立て施肥作業を行うものであっても、天板の上下回動に施肥ノズルを追従させることができ、その結果、うねの上面と施肥ノズルの位置関係が変化することを抑制し、施肥深さの変動による施肥精度の低下を防止することができる。しかも、施肥ノズルは、天板上面側から天板前方を経由して天板下面側の施肥位置に至るので、天板の後端部に施肥ノズルを取り付けた場合のように、成形されたうねの上面を荒らすことがなく、施肥ノズルの通過跡を消す均し板も不要になる。また、施肥ノズルと干渉することなく、天板の後端部からマルチを繰り出すことができるので、うね立て同時マルチ作業も問題なく行うことができる。
また、請求項２の発明によれば、施肥ノズルは、天板に対する上下方向の位置調整および上下方向の角度調整が可能なので、施肥深さを任意に設定できるだけでなく、うねに対する施肥ノズルの進入角度も任意に設定することができる。
【図面の簡単な説明】
【０００９】
【図１】トラクタに連結されたうね立て施肥作業機の側面図である。
【図２】うね立て施肥作業機の要部平面図である。
【図３】うね立て施肥作業機の要部背面図である。
【図４】うね立て成形部の天板に対する施肥ノズルや線引マーカの取付構造を示す側面図である。
【図５】うね立て成形部の天板に対する施肥ノズルや線引マーカの取付構造を示す背面図である。
【発明を実施するための形態】
【００１０】
以下、本発明の実施の形態について、図面に基づいて説明する。図１において、１はトラクタの走行機体であって、該走行機体１の後部には、昇降リンク機構２を介して耕耘部３が昇降自在に連結されている。本実施形態の耕耘部３は、ロータリ耕耘作業機からなり、多数の耕耘爪４を備える耕耘軸５、耕耘爪４の上方を覆うロータリカバー６、ロータリカバー６の後端部に上下回動自在に連結されるリヤカバー７、アタッチメントを連結するためのツールバー８などを備えている。
【００１１】
耕耘部３には、うね立ておよび施肥を同時に行ううね立て施肥作業機９が連結されている。うね立て施肥作業機９は、耕耘部３が耕耘した耕耘土をうね立て成形するうね立て成形部１０と、成形するうねの中に施肥ノズル１１を介してペースト肥料を吐出する施肥部１２とを備えている。
【００１２】
図１〜図３に示すように、うね立て成形部１０は、耕耘部３のリヤカバー７を跳ね上げた状態で、耕耘部３の後方に位置するようにツールバー８に連結されるようになっており、具体的には、ツールバー８に並列状に連結される成形部取付ツールバー１３と、成形部取付ツールバー１３の左右両端側に左右位置調整自在に取付けられる左右一対のサイドフレーム１４と、サイドフレーム１４に設けられ、耕耘土をうね立てする左右一対のうね立て板１５と、サイドフレーム１４に上下位置調整自在に取付けられる車輪１６と、左右のサイドフレーム１４間に架設される天板支軸１７と、天板支軸１７から後下方に延出し、うねの上面を成形する天板１８とを備えて構成されている。
【００１３】
天板１８は、前端部の天板支軸１７を支点として上下回動自在であり、成形部取付ツールバー１３との間に介設されるうね高さ調節ロッド１９によって任意の上下回動位置に固定した状態や、上下回動を許容する状態でうね立て作業を行うことが可能となっている。
【００１４】
施肥部１２は、耕耘部３の上部に取り付けられる肥料タンク２０、施肥ポンプ２１およびインジケータ２２と、うね立て成形部１０に取付けられる施肥ノズル１１とを備えて構成されている。施肥ポンプ２１は、肥料タンク２０に貯溜されたペースト肥料を吸引するとともに、吸引したペースト肥料を、施肥ホース２３およびインジケータ２２を介して施肥ノズル１１に圧送する。インジケータ２２は、ペースト肥料の流れを確認するためのもので、施肥ノズル１１の本数分だけ設けられている。
【００１５】
なお、本実施形態の施肥部１２は、図２に示すように、苗植付条毎（または播種条毎）に左右２本の施肥ノズル１１を有し、苗植付条の直下を避けて苗植付条の左右両側方に所定の深さでペースト肥料を施すように構成されている。
【００１６】
本発明の実施形態に係るうね立て施肥作業機９では、施肥ノズル１１をうね立て成形部１０の天板１８に取り付けている。このようにすると、うね立て成形部１０の天板１８を上下回動自在に構成し、この天板１８を任意の上下回動位置に固定した状態や、上下回動を許容する状態でうね立て施肥作業を行うものであっても、天板１８の上下動に施肥ノズル１１を追従させることができるので、うねの上面と施肥ノズル１１の位置関係が変化することを抑制し、施肥深さの変動による施肥精度の低下を防止することができる。以下、うね立て成形部１０の天板１８に対する施肥ノズル１１の具体的な取付構造について説明する。
【００１７】
天板１８の上面側には、上面の左右中央位置に立設されるツールバーブラケット２４と、該ツールバーブラケット２４の上端部から左右に延出するノズル取付ツールバー２５が一体的に設けられている。ノズル取付ツールバー２５の左右両端側には、それぞれノズルブラケット２６が左右位置調整自在に取り付けられており、各ノズルブラケット２６に２本の施肥ノズル１１が取り付けられるようになっている。
【００１８】
そして、ノズルブラケット２６に取り付けられる施肥ノズル１１は、側面視⊂状に曲げ形成されており、天板１８の上面側から天板１８の前方を経由して天板１８の下面側の施肥位置に至るように配置される。このようにすると、天板１８の後端部に施肥ノズル１１を取り付けた場合のように、成形されたうねの上面を荒らすことがなく、施肥ノズル１１の通過跡を消す均し板も不要になる。また、施肥ノズル１１と干渉することなく、天板１８の後端部からマルチを繰り出すことができるので、うね立て同時マルチ作業も問題なく行うことができる。
【００１９】
本実施形態では、各ノズルブラケット２６に取り付けられる２本の施肥ノズル１１を連結プレート２７を介して一体的に連結するとともに、該連結プレート２７を上下一対のボルト（ナットを含む）２８を介してノズルブラケット２６に取り付けるにあたり、ノズルブラケット２６に形成されるボルト挿通孔２６ａを上下方向に沿う長孔としている。このようにすると、天板１８に対する施肥ノズル１１の上下位置を任意に調整できるので、圃場や作物の条件に応じて、施肥ノズル１１によるペースト肥料の施肥深さを任意に設定することが可能になる。
【００２０】
また、本実施形態では、ノズルブラケット２６のボルト挿通孔２６ａを、天板支軸１７を中心とする円弧状の長孔としている。このようにすると、施肥ノズル１１の上下位置調整に伴い、施肥ノズル１１の上下方向の角度も変更されるので、うねに対する施肥ノズル１１の進入角度も任意に設定することが可能になる。しかも、ノズルブラケット２６のボルト挿通孔２６ａを、天板支軸１７を中心とする円弧状の長孔としたので、施肥ノズル１１の上下位置調整や上下角度調整に際して、施肥ノズル１１と天板支軸１７は干渉することも回避できる。
【００２１】
なお、本実施形態では、施肥ノズル１１の上下位置調整と上下角度調整を一箇所で同時に行なっているが、上下位置調整部と上下角度調整部を別々に構成し、それぞれ独立的に調整するようにしてもよい。
【００２２】
また、本実施形態の天板１８には、成形されたうねの上面に苗移植位置または播種位置を示すラインを引く線引きマーカ２９が取り付けられている。そして、線引きマーカ２９は、苗移植位置毎または播種位置毎に２本設けられる施肥ノズル１１の左右センター位置にラインを引くことが好ましい。そこで、本実施形態では、ノズルブラケット２６に線引きマーカ２９を取り付けている。このようにすると、うねの苗移植位置または播種位置に応じて施肥ノズル１１の左右位置を変更すべく、ノズル取付ツールバー２５に沿ってノズルブラケット２６を左右に移動させると、線引きマーカ２９も一緒に移動するので、施肥ノズル１１の左右位置を変更した後も、施肥ノズル１１の左右センター位置にラインを引くことができる。なお、本実施形態の線引きマーカ２９は、ボルト３０を介してノズルブラケット２６に上下回動自在に連結されているが、作業時は、任意の上下回動位置で固定させてもよいし、上下回動を許容する状態としてもよい。
【００２３】
ところで、施肥ノズル１１を、天板１８の上面側から天板１８の前方を経由して天板１８の下面側の施肥位置に至るように配置した場合、耕耘部３のリヤカバー７と天板１８との重合部分に隙間が生じ、この隙間から漏れた泥が天板１８の上面側に溜まる惧れがある。そこで、本実施形態では、天板１８の前端部中央部分にセンタープレート３１を立設するとともに、センタープレート３１から左右両側に延出するサイドプレート３２を設け、これらのプレート３１、３２で上記の隙間を塞いでいる。また、センタープレート３１は、左右を向く長孔３１ａを有し、左右のサイドプレート３２は、それぞれ長孔３１ａに挿通されるピン３３を介してセンタープレート３１に連結されている。これにより、成形するうねの肩幅に応じてサイドプレート３２の左右位置を調整することが可能になる。
【００２４】
叙述の如く構成された本実施形態によれば、耕耘部３を備えた走行機体１に連結して使用され、うね立ておよび施肥を同時に行ううね立て施肥作業機９であって、耕耘部３の耕耘土をうね立て成形するうね立て成形部１０と、成形するうねの中に施肥ノズル１１を介してペースト肥料を吐出する施肥部１２とを備え、うね立て成形部１０は、うねの上面を成形する天板１８を備え、該天板１８を、その前端部を支点として上下回動自在に構成するとともに、この天板１８を任意の上下回動位置に固定した状態、または天板１８の上下回動を許容する状態でうねの上面を成形し、施肥ノズル１１は、天板１８の上面側に取り付けられ、天板上面側から天板前方を経由して天板下面側の施肥位置に至るので、天板１８の後端部に施肥ノズル１１を取り付けた場合のように、成形されたうねの上面を荒らすことがなく、施肥ノズル１１の通過跡を消す均し板も不要になる。また、施肥ノズル１１と干渉することなく、天板１８の後端部からマルチを繰り出すことができるので、うね立て同時マルチ作業も問題なく行うことができる。また、天板１８に施肥ノズル１１を取り付けたので、天板１８の上下回動に施肥ノズル１１を追従させることができ、その結果、うねの上面と施肥ノズル１１の位置関係が変化することを抑制し、施肥深さの変動による施肥精度の低下を防止することができる。
【００２５】
また、施肥ノズル１１は、天板１８に対する上下方向の位置調整および上下方向の角度調整が可能なので、施肥深さを任意に設定できるだけでなく、うねに対する施肥ノズル１１の進入角度も任意に設定することができる。
【符号の説明】
【００２６】
１      走行機体
３      耕耘部
９      うね立て施肥作業機
１０    うね立て成形部
１１    施肥ノズル
１２    施肥部
１７    天板支軸
１８    天板
２０    肥料タンク
２１    施肥ポンプ
２５    ノズル取付ツールバー
２６    ノズルブラケット
２６ａ  ボルト挿通孔
２７    連結プレート
２９    線引きマーカ
【図１】
2013201973.tif 000003
【図２】
2013201973.tif 000004
【図３】
2013201973.tif 000005
【図４】
2013201973.tif 000006
【図５】
2013201973.tif 000007